(57)【要約】【課題】タンクへの液体の荷卸し状況に合わせて、液体移送システムの電源をＯＮ・ＯＦＦさせることのできる電源制御装置を提供すること。【解決手段】給液所において同一液種のタンクどうしで液体を移送する液体移送システムの電源制御装置であって、タンクへの液体の荷卸し中は、前記液体移送システムの電源を自動的にＯＦＦとし、荷卸し終了後に自動的にＯＮとする。所定量以上の液体がタンクに入ってきたことにより荷卸し開始を検知して前記液体移送システムの電源を自動的にＯＦＦとし、一定時間所定量以上の液体の増加がないことにより荷卸し終了を検知して前記液体移送システムの電源を自動的にＯＮとすることができる。【選択図】　　図２
2004035007.tif 000002
【特許請求の範囲】
【請求項１】
給液所において同一液種のタンクどうしで液体を移送する液体移送システムの電源制御装置であって、タンクへの液体の荷卸し中は、前記液体移送システムの電源を自動的にＯＦＦとし、荷卸し終了後に自動的にＯＮとする電源制御装置。
【請求項２】
所定量以上の液体がタンクに入ってきたことにより荷卸し開始を検知して前記液体移送システムの電源を自動的にＯＦＦとし、一定時間所定量以上の液体の増加がないことにより荷卸し終了を検知して前記液体移送システムの電源を自動的にＯＮとする請求項１に記載の電源制御装置。
【請求項３】
荷卸し開始時に、収納ボックスに通信ユニットを装着することによりスイッチをＯＮとし、荷卸し終了後に前記通信ユニットを取り外してスイッチをＯＦＦとする荷卸しシステムにおける、前記スイッチからの信号を受けて前記液体移送システムの電源を自動的にＯＮ・ＯＦＦさせる請求項１又は２に記載の電源制御装置。
【請求項４】
ハンディーターミナルを用いて荷卸し開始および終了の信号を発する荷卸しシステムにおける、前記ハンディーターミナルからの信号を受けて前記液体移送システムの電源を自動的にＯＮ・ＯＦＦさせる請求項１、２又は３に記載の電源制御装置。
【請求項５】
荷卸し終了後、所定の時間が経過後に自動的に電源をＯＮとする請求項１、２、３又は４に記載の電源制御装置。
【発明の詳細な説明】
【０００１】
【発明の属する技術分野】
本発明は、給液所におけるタンク間の液体移送システムの電源制御装置に関する。
【０００２】
【従来の技術】
従来、給液所ではローリー車による配送の合理化を推進するために、同じ液種のタンクどうしで在庫量に差が生じた場合に在庫量を均一にするため等に、特開平５−６５２００号公報に記載のような在庫量調整システム、即ち液体移送システムが設置されている。そして、ローリー車から液体を荷卸しするときには、液体移送システムの電源は切らずに液体の荷卸しを行っている。
【０００３】
【発明が解決しようとする課題】
しかし、液体移送システムの電源を切らずに液体の荷卸しを行う場合、以下のような問題がある。
【０００４】
（１）タンクへの荷卸し中に生じる在庫量の差によって、荷卸しを行っているタンクから同液種の他のタンクヘ液体の移送が行われた場合、タンクヘの正確な荷卸し量の確認ができず、給液所責任者とローリー運転手とで荷卸し量について頻繁にトラブルが発生している。
【０００５】
（２）タンク内の液体が移送されていることにローリー運転手が気づかず、液体が移送されてきて在庫量が増えているタンクヘ、移送前の在庫量のままであると勘違いをして荷卸しをした場合、タンクの許容量以上の荷卸しが行われオーバーフローが発生し非常に危険である。
【０００６】
（３）荷卸し中は手動で液体移送システムの電源スイッチをＯＦＦとした場合、荷卸し終了後に同スイッチをＯＮすることを忘れて、在庫切れによる計量機のエア噛み等で営業が一時ストップする等、経済的に大きな損失が生じている。
【０００７】
そこで、本発明が解決しようとする課題は、タンクへの液体の荷卸し状況に合わせて、液体移送システムの電源をＯＮ・ＯＦＦさせることのできる電源制御装置を提供することにある。
【０００８】
【課題を解決するための手段】
上記課題を解決するために、本発明の電源制御装置は、給液所において同一液種のタンクどうしで液体を移送する液体移送システムの電源制御装置であって、タンクへの液体の荷卸し中は、前記液体移送システムの電源を自動的にＯＦＦとし、荷卸し終了後に自動的にＯＮとするものである。
【０００９】
液体移送システムの電源を自動的にＯＮ・ＯＦＦする機構として、本発明の電源制御装置では、所定量以上の液体がタンクに入ってきたことにより荷卸し開始を検知して前記液体移送システムの電源を自動的にＯＦＦとし、一定時間所定量以上の液体の増加がないことにより荷卸し終了を検知して前記液体移送システムの電源を自動的にＯＮとすることができる。
【００１０】
また、荷卸し開始時に、収納ボックスに通信ユニットを装着することによりスイッチをＯＮとし、荷卸し終了後に前記通信ユニットを取り外してスイッチをＯＦＦとする荷卸しシステムにおける、前記スイッチからの信号を受けて前記液体移送システムの電源を自動的にＯＮ・ＯＦＦさせることもできる。
【００１１】
さらに、ハンディーターミナルを用いて荷卸し開始および終了の信号を発する荷卸しシステムにおける、前記ハンディーターミナルからの信号を受けて前記液体移送システムの電源を自動的にＯＮ・ＯＦＦさせることもできる。
【００１２】
そして、液体移送システムの電源をＯＦＦした後の電源の復帰については、荷卸し終了後、所定の時間が経過後に自動的に電源をＯＮとすることもできる。
【００１３】
【発明の実施の形態】
以下、本発明の実施の形態を図面に示す実施例に基づき説明する。
【００１４】
（実施例１）
図１は、本発明の電源制御装置の概略回路図、図２は、タンクの液面計からの信号を受けて電源制御装置によって液体移送システム（ＳＴＦ）の電源をＯＮ・ＯＦＦする流れを示すフロー図である。
【００１５】
図１において、通常モードでは、分電盤１内のタイマーリレーＴＲの接点及び接点ＲＹｂ，ＴＲａが何れも閉じており、液体移送システム（ＳＴＦ）のコントロールユニット３へＡＣ１００Ｖの電源が供給されている。荷卸しが開始され、タンクの液面計によって所定量以上（実施例では１分間に１００Ｌ以上）の液体の増加が検知されると、その検知信号は信号受信部２に入力され、これによって信号受信部２の接点２ａが閉じ、分電盤１内のリレーＲＹが励磁され、接点ＲＹｂが開く。これによって、液体移送システム（ＳＴＦ）のコントロールユニット３への電源供給が停止される。
【００１６】
荷卸しが終了し、所定時間（実施例では１５分間）タンク内の液体の増加がないと荷卸し終了検知モードとなり、その信号が信号受信部２に送られる。これによって、信号受信部２の接点２ａが開き、リレーＲＹの励磁が解かれ、接点ＲＹｂが閉じ、タイマーリレーＴＲが励磁される。一定時間経過後（実施例では３０分経過後）、接点ＴＲａが閉じ、液体移送システム（ＳＴＦ）のコントロールユニット３への電源供給が開始される。
【００１７】
本実施例では、所定時間タンク内の液体の増加がなくなってから、さらに所定時間経過後に液体移送システム（ＳＴＦ）のコントロールユニット３への電源供給を開始するようにしたが、所定時間タンク内の液体の増加がなくなったら、すぐに電源供給を開始するようにしてもよい。また、本実施例では、タンクの液面計からの信号によって信号受信部２の接点２ａを開閉するようにしたが、荷卸しの際に使用するハンディーターミナルからの荷卸し開始及び終了の信号によって信号受信部２の接点２ａを開閉するようにしてもよい。この場合、ハンディーターミナルからの荷卸し開始信号によって接点２ａを閉じ、荷卸し終了信号によって接点２ａを開くようにする。
【００１８】
（実施例２）
図３は、本発明の電源制御装置の他の実施例の概略回路図であり、荷卸しの際に使用する通信ユニットの収納ボックスへの着脱に合わせて液体移送システムの電源をＯＮ・ＯＦＦする例を示したものである。図４は、収納ボックスへの通信ユニットの取付状況を示し、（ａ）は取付前、（ｂ）は取付後の状態を示す。
【００１９】
図３において、通常モードでは、分電盤１内のタイマーリレーＴＲの接点及び接点ＲＹｂ，ＴＲａが何れも閉じており、液体移送システム（ＳＴＦ）のコントロールユニット３へＡＣ１００Ｖの電源が供給されている。荷卸しを開始するために、図４（ｂ）に示すように給液所内の収納ボックス６の通信ユニット受座６ａに通信ユニット７を装着すると、通信ユニット受座６ａに設けられている照明スイッチ６ｂがＯＮとなる。この照明スイッチ６ｂからのＯＮ信号は、信号受信部２に入力され、これによって信号受信部２の接点２ａが閉じ、分電盤１内のリレーＲＹが励磁され、接点ＲＹｂが開く。これによって、液体移送システム（ＳＴＦ）のコントロールユニット３への電源供給が停止される。同時に、接点ＲＹａが閉じて照明ブレーカー４のコイルがＯＮとなり、給液所内の照明５が点灯する。
【００２０】
荷卸しが終了した後、収納ボックス６から通信ユニット７を取り外すと照明スイッチ６ｂがＯＦＦとなる。そのＯＦＦ信号が信号受信部２に送られ、これによって、信号受信部２の接点２ａが開くと、リレーＲＹの励磁が解かれ、接点ＲＹａが開き、照明ブレーカー４のコイルがＯＦＦとなり、照明５が消灯する。同時に接点ＲＹｂが閉じ、タイマーリレーＴＲが励磁され、一定時間経過後、接点ＴＲａが閉じ、液体移送システム（ＳＴＦ）のコントロールユニット３への電源供給が開始される。
【００２１】
【発明の効果】
本発明は、以下の効果を奏する。
【００２２】
（１）荷卸し中はタンク間の液体の移送がなされないため、タンクへの正確な荷卸し量の確認ができ、荷卸し量についてのトラブルが皆無となった。
【００２３】
（２）荷卸し中はタンク間の液体の移送がなされないため、オーバーフロー事故が皆無となり安全性が大幅に向上した。
【００２４】
（３）液体移送システムの電源のＯＮ・ＯＦＦが自動で行われるので、荷卸し終了後の電源の入れ忘れが防止され、在庫切れによる営業面での損失が皆無となり利益が大幅に増加した。
【図面の簡単な説明】
【図１】本発明の電源制御装置の概略回路図である。
【図２】タンクの液面計からの信号を受けて電源制御装置によって液体移送システム（ＳＴＦ）の電源をＯＮ・ＯＦＦする流れを示すフロー図である。
【図３】本発明の電源制御装置の他の実施例の概略回路図である。
【図４】収納ボックスへの通信ユニットの取付状況を示し、（ａ）は取付前、（ｂ）は取付後の状態を示す。
【符号の説明】
１　分電盤
２　信号受信部
３　液体移送システムのコントロールユニット
４　照明ブレーカー
５　照明
６　収納ボックス
６ａ　通信ユニット受座
６ｂ　照明スイッチ
７　通信ユニット
【図１】
2004035007.tif 000003
【図２】
2004035007.tif 000004
【図３】
2004035007.tif 000005
【図４】
2004035007.tif 000006